(57)【要約】【課題】映像書込と黒挿入とに伴う走査線の選択を１つのシフトレジスタを用いて行う。【解決手段】Ｙドライバ１３０は、スタートパルスＤＹをクロック信号ＣＬＹの1周期にしたがって順次シフトして出力するシフトレジスタ１３１と、４つのグループＧＰ１〜ＧＰ４に分割される２４個の単位回路Ｕａを備える。マスク信号ＭＡＳＫ１〜４はグループを指定する。単位回路Ｕａは映像書込の期間を指定する第１イネーブル信号ＥＮ１と黒挿入書込の期間を指定する第２イネーブル信号ＥＮ２とをマスク信号に従って選択し、選択した信号とシフト信号の論理積を演算して走査信号を生成する。【選択図】図３
2011033655.tif 000002
【特許請求の範囲】
【請求項１】
複数の走査線と複数のデータ線との交差に対応してそれぞれ設けられ、前記走査線が選 択されたときに、前記データ線に供給されたデータ信号に応じた明るさとなる画素と、 
映像書込に割り当てられた第１期間と黒挿入書込に割り当てられた第２期間とを含む水平走査期間において、前記複数の走査線を選択する走査線駆動回路と、 
前記走査線が映像書込のために選択されたときには、前記画素の明るさに応じたデータ信号を前記データ線に供給し、前記走査線が黒挿入書込のために選択されたときには、前記画素を黒色にさせるデータ信号を前記データ線に供給するデータ線駆動回路と、を具備し、 
前記走査線駆動回路は、 
前記複数の走査線に応じた段数を有し、各段は、予め定められた幅を有するスタートパルスをクロック信号の周期にしたがって順次シフトしてシフト信号を出力するシフトレジスタと、 
前記複数の走査線の各々に対応して設けられ、隣接する走査線同士を所定数まとめてグループ化したときにグループ毎に有効となる期間が異なるように供給されたマスク信号、前記第１期間で有効となる第１イネーブル信号、前記第２期間で有効となる第２イネーブル信号、及び前記シフト信号に基づいて、対応する走査線に走査信号を供給する単位回路とを備え、
前記単位回路は、前記マスク信号の論理レベルが第１レベルである場合、前記第１イネーブル信号が有効となり且つ前記シフト信号が有効となる期間において有効となる走査信号を生成し、前記マスク信号の論理レベルが第２レベルである場合、前記第２イネーブル信号が有効となり且つ前記シフト信号が有効となる期間において有効となる走査信号を生成する、
ことを特徴とする電気光学装置。
【請求項２】
前記単位回路は、
前記マスク信号の論理レベルが第１レベルである場合に前記第１イネーブル信号を選択し、前記マスク信号の論理レベルが第２レベルである場合に前記第２イネーブル信号を選択して選択イネーブル信号を出力する第１論理回路と、
前記シフト信号と前記選択イネーブル信号とに基づいて、当該シフト信号と当該選択イネーブル信号とが共に有効となる期間において、当該走査線の選択を示す走査信号を出力する第２論理回路とを、有する、 
ことを特徴とする請求項１に記載の電気光学装置。
【請求項３】
前記複数の走査線の各々に対応して設けられた単位回路の全てに前記第１イネーブル信号を供給する第１供給線と、
前記複数の走査線の各々に対応して設けられた単位回路の全てに前記第２イネーブル信号を供給する第２供給線とを備え、
前記単位回路は、
前記シフト信号が有効となる期間にのみ、前記第１供給線から前記第１イネーブル信号を取り込むと共に前記第２供給線から前記第２イネーブル信号を取り込み、前記シフト信号が無効となる期間では、当該単位回路を前記第１供給線及び前記第２供給線から電気的に分離する取込回路と、
前記取込回路によって取り込まれた第１イネーブル信号と前記取込回路によって取り込まれた第２イネーブル信号とのうち一方を、前記マスク信号の論理レベルに応じて選択して、当該走査線の選択を示す走査信号を出力する選択回路とを、有する、
ことを特徴とする請求項１に記載の電気光学装置。
【請求項４】
前記選択回路は、
前記マスク信号の論理レベルが第１レベルでオン状態となり、前記マスク信号の論理レベルが第２レベルでオフ状態となり、前記第１イネーブル信号が入力端子に供給される第１トランスファーゲートと、
前記マスク信号の論理レベルが第２レベルでオン状態となり、前記マスク信号の論理レベルが第１レベルでオフ状態となり、前記第２イネーブル信号が入力端子に供給される第２トランスファーゲートとを備え、
前記第１トランスファーゲートの出力端子と前記第２トランスファーゲートの出力端子との接続点が当該選択回路の出力端子と電気的に接続され、
前記走査信号が無効を示す電位を供給する電位線と前記選択回路の出力端子との間に設けられ、前記シフト信号が有効となる期間にオフ状態となり、前記シフト信号が無効となる期間にオン状態となるスイッチング素子を備える、
ことを特徴とする請求項３に記載の電気光学装置。
【請求項５】
前記データ線駆動回路は、前記データ線を共通にする一列の画素でみたときに、前記データ信号の電圧を、所定の電位を基準として正極性および負極性に水平走査期間毎に切り替えて供給することを特徴とする請求項１乃至４のうちいずれか1項に記載の電気光学装置。 
【請求項６】
フレーム期間を前記クロック信号の周期の奇数倍に設定するとともに、水平走査期間を前記クロック信号の周期に設定したことを特徴とする請求項１乃至５のうちいずれか１項に記載の電気光学装置。
【請求項７】
前記データ線駆動回路は、映像書込におけるデータ信号を、当該映像書込の前の黒挿入 書込におけるデータ信号と同極性とすることを特徴とする請求項１乃至６のうちいずれか１項に記載の電気光学装置。
【請求項８】
請求項１乃至７のうちいずれか１項に記載した電気光学装置を備えたことを特徴とする電子機器。
【発明の詳細な説明】
【技術分野】
【０００１】
本発明は、いわゆる動画ぼやけ感を抑えた電気光学装置に関する。
【背景技術】
【０００２】
アクティブマトリクス型の液晶装置などの電気光学装置は、フレームの期間（16．7 ミリ秒）にわたって映像が保持されるホールド型である。このため、次のフレーム期間に移行したとき、前のフレーム期間の映像を視覚したときの記憶が残存するために、表示される映像に動きがあれば、その動き領域が、ぎくしやくしたり、輪郭がぼやけたりして知覚される（動画ぼやけ感の発生）。一方、CRTのように画像が瞬間的に表示されるインパルス型の表示装置では、前フレーム期間で表示させた画像の記憶が、次フレーム期間に移行したときには、もはや残存していないので、動画ぼやけ感は発生しない。 
そこで、ホールド型の電気光学装置においては、インパルス型の表示態様に似せるべく 、映像書込用の垂直シフトレジスタによって走査線を走査して、表示画像を書き込んだ後 、黒書込用のシフトレジスタによって走査線を走査して、黒画像（黒挿入）を書き込みする技術が提案されている（特許文献1参照）。
【先行技術文献】
【特許文献】
【０００３】
【特許文献１】特開２００６−４７８４７号公報
【発明の概要】
【発明が解決しようとする課題】
【０００４】
しかしながら、上記技術では、シフトレジスタを２個必要とするため、回路面積が大きくなって、周辺回路内蔵型の場合では、いわゆる額縁領域を広くなってしまう、という問題がある。 
本発明は、このような事情に鑑みてなされたもので、その目的の1つは、映像書込と黒挿入とを1つの垂直シフトレジスタによって済ませて、回路面積の肥大化を抑えた技術を 提供することにある。
【課題を解決するための手段】
【０００５】
この課題を解決するために、本発明に係る電気光学装置は、複数の走査線と複数のデータ線との交差に対応してそれぞれ設けられ、前記走査線が選択されたときに、前記データ線に供給されたデータ信号に応じた明るさとなる画素と、 映像書込に割り当てられた第１期間と黒挿入書込に割り当てられた第２期間とを含む水平走査期間において、前記複数の走査線を選択する走査線駆動回路と、前記走査線が映像書込のために選択されたときには、前記画素の明るさに応じたデータ信号を前記データ線に供給し、前記走査線が黒挿入書込のために選択されたときには、前記画素を黒色にさせるデータ信号を前記データ線に供給するデータ線駆動回路と、を具備し、前記走査線駆動回路は、前記複数の走査線に応じた段数を有し、各段は、予め定められた幅を有するスタートパルスをクロック信号の周期にしたがって順次シフトしてシフト信号を出力するシフトレジスタと、前記複数の走査線の各々に対応して設けられ、隣接する走査線同士を所定数まとめてグループ化したときにグループ毎に有効となる期間が異なるように供給されたマスク信号、前記第１期間で有効となる第１イネーブル信号、前記第２期間で有効となる第２イネーブル信号、及び前記シフト信号に基づいて、対応する走査線に走査信号を供給する単位回路とを備え、前記単位回路は、前記マスク信号の論理レベルが第１レベルである場合、前記第１イネーブル信号が有効となり且つ前記シフト信号が有効となる期間において有効となる走査信号を生成し、前記マスク信号の論理レベルが第２レベルである場合、前記第２イネーブル信号が有効となり且つ前記シフト信号が有効となる期間において有効となる走査信号を生成する、ことを特徴とする。
【０００６】
この発明によれば、シフトレジスタを1つで済ませることができるので、走査線駆動回路の面積の肥大化を抑えることが可能となる。さらに、第１イネーブル信号及び第２イネーブル信号の単位回路への伝送において、これらの信号を駆動する回路にバラツキがあっても、第１イネーブル信号の遅延時間と第２イネーブル信号との遅延時間の差は、一定であるので、遅延時間の差は全てのグループに一様に発生する。したがって、グループごとに輝度差が生じることはない。
なお、マスク信号の論理レベルが遷移するタイミングを、第１イネーブル信号の論理レベルが有効から無効に遷移するタイミングから、第２イネーブル信号の論理レベルが無効から有効に遷移するタイミングまでの間に設定することが好ましい。この場合には、マスク信号に遅延時間の差が発生しても、マージンの範囲内であれば、各グループでの映像書込の期間に差が生じることはない。
【０００７】
上述した電気光学装置において、前記単位回路は、前記マスク信号の論理レベルが第１レベルである場合に前記第１イネーブル信号を選択し、前記マスク信号の論理レベルが第２レベルである場合に前記第２イネーブル信号を選択して選択イネーブル信号を出力する第１論理回路と、前記シフト信号と前記選択イネーブル信号とに基づいて、当該シフト信号と当該選択イネーブル信号とが共に有効となる期間において、当該走査線の選択を示す走査信号を出力する第２論理回路とを有することを特徴とする。
この場合には、マスク信号を用いて、第１イネーブル信号と第２イネーブル信号とを選択し、シフト信号を用いて選択された選択イネーブル信号にゲートを掛けるので、シフト信号を映像書込と黒挿入書込との両方に使用することができる。この結果、構成を簡素化することができる。
【０００８】
上述した電気光学装置において、前記複数の走査線の各々に対応して設けられた単位回路の全てに前記第１イネーブル信号を供給する第１供給線と、前記複数の走査線の各々に対応して設けられた単位回路の全てに前記第２イネーブル信号を供給する第２供給線とを備え、前記単位回路は、前記シフト信号が有効となる期間にのみ、前記第１供給線から前記第１イネーブル信号を取り込むと共に前記第２供給線から前記第２イネーブル信号を取り込む取込回路と、前記取込回路によって取り込まれた第１イネーブル信号と前記取込回路によって取り込まれた第２イネーブル信号とのうち一方を、前記マスク信号の論理レベルに応じて選択して、当該走査線の選択を示す走査信号を出力する選択回路とを、有する、ことを特徴とする。
【０００９】
この発明によれば、各単位回路は、対応するシフト信号が有効な期間にのみ第１供給線及び第２供給線に電気的に接続されるから、第１供給線及び第２供給線に付随する単位回路の入力容量が大幅低減する。これに伴って、第１供給線及び第２供給線の等価的な時定数が低減する。このため、第１イネーブル信号及び第２イネーブル信号の遅延時間及び波形の鈍りが減少するので、グループの違いによる映像書込の期間の差が殆ど無くすことができる。この結果、グループ間で輝度ムラを大幅に抑制できる。さらに、第１供給線及び第２供給線の容量性負荷を低減できるので、第１イネーブル信号及び第２イネーブル信号を第１供給線及び第２供給線に供給する回路の消費電力を低減とともに、小さな駆動能力の回路を用いることが可能となる。
【００１０】
ここで、前記選択回路は、前記マスク信号の論理レベルが第１レベルでオン状態となり、前記マスク信号の論理レベルが第２レベルでオフ状態となり、前記第１イネーブル信号が入力端子に供給される第１トランスファーゲートと、前記マスク信号の論理レベルが第２レベルでオン状態となり、前記マスク信号の論理レベルが第１レベルでオフ状態となり、前記第２イネーブル信号が入力端子に供給される第２トランスファーゲートとを備え、前記第１トランスファーゲートの出力端子と前記第２トランスファーゲートの出力端子との接続点が当該選択回路の出力端子と電気的に接続され、前記走査信号が無効を示す電位を供給する電位線と前記選択回路の出力端子との間に設けられ、前記シフト信号が有効となる期間にオフ状態となり、前記シフト信号が無効となる期間にオン状態となるスイッチング素子を備える、ことが好ましい。この発明によれば、スイッチング素子を備えるので選択回路の出力端子がフローティング状態となることを回避して走査信号の電位を安定させることができる。この結果、走査線の選択の誤動作を防止することができる。
【００１１】
上述した電気光学装置において、前記データ線駆動回路は、前記データ線を共通にする一列の画素でみたときに、前記データ信号の電圧を、所定の電位を基準として正極性および負極性に水平走査期間毎に切り替えて供給することを特徴とする。この発明によれば、フリッカを抑圧することができ、ちらつきのない高品質な画像を表示することができる。
【００１２】
上述した電気光学装置において、フレーム期間を前記クロック信号の周期の奇数倍に設定するとともに、水平走査期間を前記クロック信号の周期に設定したことを特徴とする。本発明によれば、フレーム期間が水平走査期間の奇数倍となるので、行反転方式または画素反転方式としたときに、隣接する行同士で同極性となってしまう部分の発生を回避することができる。
【００１３】
さらに、前記データ線駆動回路は、映像書込におけるデータ信号を、当該映像書込の前の黒挿入書込におけるデータ信号と同極性とすることを特徴とする。この発明によれば、データ線の電位を大振幅で駆動する必要がないので、消費電力を削減することができる。
【００１４】
次に、本発明に係る電子機器は、上述した電気光学装置を備えたことを特徴とする。このような電子機器としては、モニタ、パーソナルコンピュータ、携帯電話機、電子カメラなどが該当する。
【図面の簡単な説明】
【００１５】
【図１】第1実施形態に係る電気光学装置の構成を示すブロック図である。
【図２】同装置における画素の構成を示す回路図である。
【図３】同装置におけるＹドライバの構成を示すブロック図である。
【図４】同装置におけるシフトレジスタの構成を示すブロック図である。
【図５】同装置におけるシフト回路の構成を示す回路図である。
【図６】同装置における単位回路Ｕａの構成を示す回路図である。
【図７】同装置におけるＹドライバの動作を示すタイミングチャートである。
【図８】同装置におけるＹドライバの動作を示すタイミングチャートである。
【図９】マスク信号の切り替わりタイミングを示すタイミングチャートである。
【図１０】水平走査期間においてｋ番目のブロックに対応して供給されるデータ信号等の供給タイミングを示すタイミングチャートである。
【図１１】第２実施形態に係る電気光学装置における単位回路の構成を示す回路図である。
【図１２】同装置における単位回路を用いたＹドライバの動作を示すタイミングチャートである。
【図１３】第１イネーブル信号及び第２イネーブル信号の供給線の等価回路を示す回路図である。
【図１４】第２論理回路の入力容量をｃ、供給線の配線抵抗をｒとした場合の供給線の等価回路を示す回路図である。
【図１５】データ線の他端側にＴＦＴを設けた電気光学装置の変形例の構成を示すブロック図である。
【図１６】同装置におけるＹドライバの動作を示すタイミングチャートである。
【図１７】本願の実施形態に係る電気光学装置を適用したモバイル型のパーソナルコンピュータの構成を示す斜視図である。
【図１８】本願の実施形態に係る電気光学装置を適用した携帯電話機の構成を示す斜視図である。
【図１９】本願の実施形態に係る電気光学装置を適用した携帯情報端末の構成を示す斜視図である。
【発明を実施するための形態】
【００１６】
＜第１実施形態＞ 
まず、本発明の第1実施形態に係る電気光学装置について説明する。図１は、第１実施形態に係る電気光学装置の構成を示すブロック図である。
電気光学装置１は、表示制御回路１０、データ信号変換回路２０及び表示パネル１００を備える。表示制御回路１０は、上位装置（図示省略）から供給される同期信号Syncに基づいて各部を制御する。同期信号Syncは映像信号Vidに同期している。
データ信号変換回路２０は、上位装置から供給されるデジタルの映像信号Vidを、表示制御回路１０による制御にしたがってアナログ信号のデータ信号Ｓ１〜Ｓ８に変換する。データ信号Ｓ１〜Ｓ８は、後述するデマルチプレクサの分配動作に同期している。
上記上位装置から供給される映像信号Vidは、表示パネル１００の各画素につきＲ（赤）、Ｇ（緑）、Ｂ（青）の各色成分の明るさ（階調）を指定するデジタルデータであり、同期信号Syncに含まれる垂直走査信号、水平走査信号およびドットクロック信号（いずれも図示省略）にしたがって走査される画素の順で供給される。 
【００１７】
表示パネル１００では、表示領域１００ａの周辺にＹドライバ１３０およびデマルチプレクサ１４０が設けられている。このうち、表示領域１００ａでは、例えば２４行の走査線１１２が図において横方向に延在し、また、４８列のデータ線１１４が図において縦方向に延在する。
そして、これらの走査線１１２とデータ線１１４との交差のそれぞれに対応して、画素１１０がそれぞれ配設されている。これらの画素１１０は、１列毎にＲ、Ｇ、Ｂの順で繰り返すストライプ配列となっており、横方向にわたって互いに隣接するＲＧＢの3つの画素１１０で１ドットのカラーを表示する。したがって、本実施形態において、画素１１０は、表示領域１００ａにおいて縦２４行×横４８列のマトリクス状に配列して、縦２４行×横１６列ドットのカラー表示を行うことになる。ただし、この配列はあくまでも説明の便宜上のものであり、本発明は、この配列に限定されない。 
なお、走査線１１２を区別するために、以下の説明では図において上から順に１、２、３、…２４行目という呼び方をする場合がある。同様に、データ線１１４を区別するために、図において左から順に１、２、３、…４８列目という呼び方をする場合がある。 
【００１８】
また、１〜４８列目のデータ線１１４は、１〜６、７〜１２、１３〜１８、…４３〜４８列目というように、本実施形態では互い隣接する６列毎にブロック化されている。ブロックを一般化して説明するために、１以上８以下の整数「j」を用いると、図1において左から数えてj番目のブロックには、（６j−5）列目から（６j）列目までの６列のデータ線１１４が対応することになる。 
１番目から８番目までのブロックには、順番にデータ信号Ｓ１〜Ｓ８が供給されるが、これのデータ信号をブロックに属する６列のデータ線に分配したときに区別するために、ｋ番目のブロックにおいて１列目のデータ線１１４に供給されるデータ信号をＲ（2ｋ−1）と表記し、2、3、4、5、6列目のデータ線１１４に供給されるデータ信号をそれぞれG（2ｋ−1）、B（2ｋ−1）、R（2ｋ）、G（2ｋ）、B（2ｋ）と表記している。 
【００１９】
デマルチプレクサ（データ線駆動回路）１４０は、データ線１１４の１列毎に設けられたｎチャネル型の薄膜トランジスタ（thin film transistor：以下単に「ＴＦＴ」と略称する）１４４の集合体である。このＴＦＴ１４４のドレイン電極はデータ線１１４の一端 に接続され、各ブロックに属するデータ線１１４に対応した6個のＴＦＴ１４４のソース電極が共通接続されている。 一方、ＴＦＴ１４４のゲート電極には、それぞれ次のような制御信号が表示制御回路１０から供給される。すなわち、各ブロックにおいて1列目のデータ線１１４に対応するＴＦＴ１４４のゲート電極にはイネーブル信号Rl−Enbが供給され、各ブロックにおいて2、3、4、5、6列目のデータ線１１４に対応するＴＦＴ１４４のゲート電極には、それぞれイネーブル信号Gl−Enb、Bl−Enb、R2−Enb、G2−Enb、B2−Enbが供給される。 
【００２０】
次に、画素１１０の構成について説明する。図２は、画素１１０の電気的な構成を示す図であり、任意の１行におけるＲＧＢの3つの画素１１０を示している。 
この図に示されるように、3つの画素１１０は電気的には互いに同一構成であり、それ
ぞれ、ＴＦＴ１１６と液晶容量１２０とを有する。このうち、ＴＦＴ１１６のゲート電極は走査線１１２に接続される一方、そのソース電極はデータ線１１４に接続され、そのドレイン電極は画素電極１１８に接続されている。 
画素電極１１８は、画素毎に設けられるのに対して、対向電極１０８は、画素電極１１８のすべてに対向するように全画素に対して共通に設けられるとともに、一定の電圧LCcomが印加されている。そして、対向電極１０８と画素電極１１８との間に液晶１０５が扶持され、これにより、液晶容量１２０が構成されている。 
【００２１】
本実施形態において、液晶１０５は、ＯＣＢ（Optical Compensated Birefringence）モードとしている。このため、液晶分子は、初期状態で２枚の基板間でスプレイ状に開いた状態（スプレイ配向）であり、表示動作時では弓なりに曲がった状態（ベンド配向）になって、ベンド配向の曲がりの度合いに応じて透過率（または反射率）が変化する。本実施形態では、液晶容量１２０において保持される電圧実効値がゼロに近ければ、光の透過率が最大となる一方、電圧実効値が大きくなるにつれて透過する光量が減少するノーマリーホワイトモードとしている。また、液晶容量１２０の透過光を着色するカラーフィルタ（図示省略）が画素１１０毎に設けられる。このため、バックライトユニット（図示省略）よって照射された光は、画素毎に、液晶容量１２０に保持された電圧の実効値に応じた比率でカラーフィルタにより着色して出射する。 
【００２２】
周知のように、ＯＣＢモードでは、液晶容量１２０において保持される電圧実効値が臨 界値を下回るとスプレイ配向に戻って、実効値に応じて透過率を制御することができなくなるので、表示すべき画像の階調に応じた電圧を書き込む前に、臨界値以上の電圧を印加 して、ベンド配向に転移させておく必要がある。 
【００２３】
本実施形態では、あるフレーム期間において液晶容量１２０（画素１１０）に対し表示画像の階調に応じた電圧を書き込んだ後に、次のフレーム期間において透過率に応じた電圧を書き込む事前準備として、臨界値以上の電圧を書き込むことによって、スプレイ配向に戻ってしまうことを防いでいる。 
このときにスプレイ配向に戻らないように書き込む臨界値以上の電圧として、画素１１０の透過率を最小とさせる電圧としている。すなわち、本実施形態では、スプレイ配向に戻らないようにベンド配向を維持するための臨界値以上の電圧印加は、同時に、動画ぼや け感を低減するための黒挿入を意味しているのである。 
なお、フレーム期間とは、表示パネル１００を駆動することによって、カラー画像の１コマ分を表示させるために要する期間である。
【００２４】
図３にＹドライバのブロック図を示す。Ｙドライバ１３０は、シフトレジスタ１３１と、走査線１１２の本数である２４本と等しい数の単位回路Ｕａ１〜Ｕａ２４、供給線Ｌ１〜Ｌ６、及びバッファＢＵＦ１〜ＢＵＦ６を備える。
単位回路Ｕａ１〜Ｕａ２４は、４つのグループに分けられる。第１グループＧＰ１は、第１列から第６列までの走査線１１２に走査信号Ｙ１〜Ｙ６を出力する。第２グループＧＰ２は、第７列から第１２列までの走査線１１２に走査信号Ｙ７〜Ｙ１２を出力する。第３グループＧＰ３は、第１３列から第１８列までの走査線１１２に走査信号Ｙ１３〜Ｙ１８を出力する。第４グループＧＰ４は、第１９列から第２４列までの走査線１１２に走査信号Ｙ１９〜Ｙ２４を出力する。
【００２５】
シフトレジスタ１３１は、クロック信号ＣＬＹ及びＣＬＹinvに従って、スタートパルスＤＹを順次シフトして、各走査線１１２を選択するためのシフト信号ＳＲ１、ＳＲ２、…ＳＲ２４を生成する。シフト信号ＳＲ１、ＳＲ２、…ＳＲ２４は、水平走査期間ごとに排他的に有効となる。クロック信号ＣＬＹ、ＣＬＹinvは、論理レベルが互いに反転の関係にあるデューティ比が５０％のパルス信号であって、その周期が、上位装置から供給される水平同期信号で規定される水平走査期間の周期と同じである。
ここで、水平走査期間は、１行分の画素を１列目か４８列目まで水平走査する水平有効走査期間と、４８列目から次行の１列目まで戻す水平帰線期間とに分かれる。本実施形態では、便宜的に水平帰線期間を先とし、水平有効走査期間を後としている。 
【００２６】
図４において、シフトレジスタ１３１は、走査線１１２の行数である「２４」の２倍よりも２段多い「５０」段のシフト回路１３２を、ある段のシフト回路１３２から出力される信号を次段の単位回路の入力信号とするように縦続接続した構成としたものである。ただし、初段である１段目のシフト回路１３２には、入力信号としてスタートパルスＤＹが供給される。 
シフトレジスタ１３１のうち、奇数（1、3、5、…49）段目のシフト回路１３２は、クロック信号ＣＬＹがハイレベル（クロック信号ＣＬＹinvがローレベル）であるときに入力信号を取り込んで出力し、クロック信号ＣＬＹがローレベル（クロック信号ＣＬＹinvがハイレベル）に変化したときには、変化直前状態（クロック信号ＣＬＹがハイレベルであったとき）に取り込んだ入力信号を保持・出力するものである。 
一方、偶数（2、4、6、…50）段目のシフト回路１３２は、クロック信号ＣＬＹがローレベルであるときに入力信号を取り込んで出力し、クロック信号ＣＬＹがハイレベルに変化したときには、変化直前状態に取り込んだ入力信号を保持・出力するものである。 
【００２７】
このような奇数段目および偶数段目のシフト回路１３２は、例えば図５に示されるように、クロックドインバータ１３２１、１３２２およびインバータ１３２３を含む構成が考えられる。奇数段目のクロックドインバータ１３２１および偶数段目のクロックドインバータ１３２２は、クロック信号ＣＬＹがハイレベルのときにインバータとして機能し、クロック信号ＣＬＹがローレベルのときに、その出力が不定（ハイ・インピーダンス）となるものであり、奇数段目のクロックドインバータ１３２２および偶数段目のクロックドインバータ１３２１は、クロック信号ＣＬＹinvがハイレベルのときにインバータとして機能し、クロック信号ＣＬＹinvがローレベルのときに、その出力が不定となるものである。 
【００２８】
ここで、１〜５０段目のシフト回路１３２からは、スタートパルスＤＹをクロック信号ＣＬＹがハイレベルのときに取り込んだ状態から、クロック信号ＣＬＹの半周期だけ順次遅延させた信号が出力されることになる。この例では、偶数段目のシフト回路１３２から、シフト信号ＳＲ１、ＳＲ２、…ＳＲ２４を取り出す。したがって、あるシフト信号と次のシフト信号は、クロック信号ＣＬＹの１周期だけ位相がずれることになる。
上述したようにクロック信号ＣＬＹの周期は水平走査期間の周期と同じである。よって、シフト信号ＳＲ１、ＳＲ２、…ＳＲ２４は水平走査期間ごとに順次排他的に有効となる信号である。
【００２９】
説明を図３に戻す。表示制御回路１０からＹドライバ１３０へは、クロック信号ＣＬＹ及びＣＬＹinv、スタートパルスＤＹの他、マスク信号ＭＡＳＫ１〜ＭＡＳＫ４、第１イネーブル信号ＥＮ１、及び第２イネーブル信号ＥＮ２が供給される。
【００３０】
本実施形態において、水平走査期間は、映像書込に割り当てられた第１期間Ｔ１と黒挿入書込に割り当てられた第２期間Ｔ２とを含む。すなわち、時分割で映像書込と黒挿入書込を行う。第１イネーブル信号ＥＮ１は、第１期間Ｔ１において有効となり、それ以外の期間では無効となる。一方、第２イネーブル信号ＥＮ２は第２期間Ｔ２において有効となり、それ以外の期間で無効となる。第１期間Ｔ１と第２期間Ｔ２とは必ずしも連続している必要はなく、それらの期間にマージンとなる期間が設けられてもよい。
【００３１】
マスク信号ＭＡＳＫ１〜ＭＡＳＫ４は、隣接する走査線同士を所定数（この例では、６本）まとめてグループ化したときにグループ毎に有効となる期間が異なるように設定された信号である。マスク信号ＭＡＳＫ１は第１グループＧＰ１の走査線１１２が選択される期間で有効となり、マスク信号ＭＡＳＫ２は第２グループＧＰ２の走査線１１２が選択される期間で有効となり、マスク信号ＭＡＳＫ３は第３グループＧＰ３の走査線１１２が選択される期間で有効となり、マスク信号ＭＡＳＫ４は第４グループＧＰ４の走査線１１２が選択される期間で有効となる。
【００３２】
マスク信号ＭＡＳＫ１〜ＭＡＳＫ４、並びに第１イネーブル信号ＥＮ１及び第２イネーブル信号ＥＮ２は、バッファＢＵＦ１〜ＢＵＦ６を介して供給線Ｌ１〜Ｌ６に供給される。供給線Ｌ１〜Ｌ６は、表示領域１００ａの縦方向に延在するため、それには寄生容量が付随する。このため、供給線Ｌ１〜Ｌ６は容量性の負荷である。バッファＢＵＦ１〜ＢＵＦ６は、小振幅の信号を大振幅に変換すると共に、容量性の負荷を駆動する機能を有する。
【００３３】
各単位回路Ｕａには、マスク信号ＭＡＳＫ１〜ＭＡＳＫ４のいずれかと、対応するシフト信号ＳＲと、第１イネーブル信号ＥＮ１と、第２イネーブル信号ＥＮ２とが供給される。単位回路Ｕａは、供給されるマスク信号の論理レベルが第１レベル（この例では、ハイレベル）である場合、第１イネーブル信号ＥＮ１が有効となり、且つシフト信号ＳＲが有効となる期間において、有効となる走査信号Ｙを生成する。一方、供給されるマスク信号の論理レベルが第２レベル（この例では、ローレベル）である場合、第２イネーブル信号ＥＮ２が有効となり且つシフト信号ＳＲが有効となる期間において、有効となる走査信号Ｙを生成する。
【００３４】
図６に、単位回路Ｕａの回路図を示す。単位回路Ｕａは、第１論理回路１５０、第２論理回路１６０、及びバッファ１７０を備える。なお、ｊは１から４までの自然数であり、ｉは自然数であって、ｊ＝１のとき１≦ｉ≦６、ｊ＝２のとき２≦ｉ≦１２、ｊ＝３のとき１３≦ｉ≦１８、ｊ＝４のとき１９≦ｉ≦２４を満たす。
【００３５】
第１論理回路１５０は、マスク信号ＭＡＳＫｊの論理レベルがハイレベルである場合に第１イネーブル信号ＥＮ１を選択し、マスク信号ＭＡＳＫｊの論理レベルがローレベルである場合に第２イネーブル信号ＥＮ２を選択して選択イネーブル信号ＥＮＳを出力する。なお、マスク信号ＭＡＳＫｊの論理レベルがローレベルである場合に第１イネーブル信号ＥＮ１を選択し、マスク信号ＭＡＳＫｊの論理レベルがハイレベルである場合に第２イネーブル信号ＥＮ２を選択して選択イネーブル信号ＥＮＳを出力するように構成してもよい。要は、マスク信号ＭＡＳＫｊが有効な場合に第１イネーブル信号ＥＮ１を選択し、マスク信号ＭＡＳＫｊが無効な場合に第２イネーブル信号ＥＮ２を選択すればよい。
【００３６】
第１論理回路１５０は、具体的には、インバータＩＮＶと、トランスファーゲートＴＧａ及びＴＧｂとを備える。トランスファーゲートＴＧａ及びＴＧｂは、各々ＰチャネルのトランジスタとＮチャネルのトランジスタとを並列接続して構成される。トランスファーゲートＴＧａの入力端子には第１イネーブル信号ＥＮ１が供給され、トランスファーゲートＴＧｂの入力端子には第２イネーブル信号ＥＮ２が供給される。トランスファーゲートＴＧｂの制御入力端子には、トランスファーゲートＴＧａの制御入力端子に供給されるマスク信号ＭＡＳＫｊが反転して供給される。したがって、トランスファーゲートＴＧａがオン状態のときトランスファーゲートＴＧｂがオフ状態となり、逆にトランスファーゲートＴＧａがオフ状態のときトランスファーゲートＴＧｂがオン状態となる。さらに、トランスファーゲートＴＧａ及びＴＧｂの出力端子は電気的に接続されており、そこから選択イネーブル信号ＥＮＳが出力される。
【００３７】
次に、第２論理回路１６０は、シフト信号ＳＲｉと選択イネーブル信号ＥＮＳとに基づいて、当該シフト信号ＳＲｉと選択イネーブル信号ＥＮＳとが共に有効となる期間において、当該走査線１１２の選択を示す走査信号Ｙを出力する。第２論理回路１６０は、例えば、論理積を算出するアンド回路で構成される。走査信号Ｙはバッファ１７０を介して走査線１１２に出力される。
【００３８】
図７及び図８にＹドライバの動作を示すタイミングチャートを示す。図５に示すように、１フレーム期間では、マスク信号ＭＡＳＫ１〜ＭＡＳＫ４が排他的にハイレベル（有効）となる。この例では、マスク信号ＭＡＳＫ４がハイレベルからローレベルに変化した後、１フレーム期間が終了するまでは、ブランキング期間ＴＢである。この例のブランキング期間は３水平走査期間からなる。この結果、１フレーム期間は水平走査期間の奇数倍で構成される。
【００３９】
また、選択イネーブル信号ＥＮＳ１はマスク信号ＭＡＳＫ１が供給される第１グループＧＰ１の単位回路Ｕａにおける選択イネーブル信号ＥＮＳであり、選択イネーブル信号ＥＮＳ２はマスク信号ＭＡＳＫ２が供給される第２グループＧＰ２の単位回路Ｕａにおける選択イネーブル信号ＥＮＳであり、選択イネーブル信号ＥＮＳ３はマスク信号ＭＡＳＫ３が供給される第３グループＧＰ３の単位回路Ｕａにおける選択イネーブル信号ＥＮＳであり、選択イネーブル信号ＥＮＳ４はマスク信号ＭＡＳＫ４が供給される第４グループＧＰ４の単位回路Ｕａにおける選択イネーブル信号ＥＮＳである。
【００４０】
図８に示すように、１水平走査期間Ｈのうち映像書込に割り当てられた第１期間Ｔ１と黒挿入書込に割り当てられた第２期間Ｔ２とは重複しない。このため、第１イネーブル信号ＥＮ１がハイレベルとなる期間と、第２イネーブル信号ＥＮ２がハイレベルとなる期間とは重複しない。
マスク信号ＭＡＳＫ１がハイレベルである期間は、トランスファーゲートＴＧａがオン状態となり、トランスファーゲートＴＧｂがオフ状態となるので、当該期間では、トランスファーゲートＴＧａの入力端子に供給される第１イネーブル信号ＥＮ１が選択イネーブル信号ＥＮＳとして取り出される。一方、マスク信号ＭＡＳＫ２がローレベルである期間は、トランスファーゲートＴＧｂがオン状態となり、トランスファーゲートＴＧａがオフ状態となるので、当該期間では、トランスファーゲートＴＧｂの入力端子に供給される第２イネーブル信号ＥＮ２が選択イネーブル信号ＥＮＳとして取り出される。
そして、選択イネーブル信号ＥＮＳとシフト信号ＳＲ１の論理積によって走査信号Ｙ１が生成され、選択イネーブル信号ＥＮＳとシフト信号ＳＲ２の論理積によって走査信号Ｙ２が生成される。
【００４１】
このようなＹドライバ１３０を採用すると、図３に示すバッファＢＵＦ１〜ＢＵＦ６を構成するＴＦＴの特性ばらつきによる信号遅延の影響を低減できるといった利点がある。バッファＢＵＦ１〜ＢＵＦ６は、インバータを複数段直列に接続して構成する。この場合、バッファＢＵＦ１〜ＢＵＦ６の遅延時間は、インバータを構成するＴＦＴのしきい値に大きく依存し、さらにインバータを複数段直列に接続することで遅延時間のばらつきが大きくなる。
【００４２】
例えば、図７に示す選択イネーブル信号ＥＮＳ１〜ＥＮＳ４をマスク信号ＭＡＳＫ１〜ＭＡＳＫ４の替わりに供給し、図６に示す第１論理回路１５０を省略して、選択イネーブル信号ＥＮＳ１〜ＥＮＳ４を第２論理回路１６０に直接供給して、シフト信号ＳＲｉとの論理積を算出することによって走査信号Ｙを生成する場合を想定する。この場合、バッファＢＵＦ１〜ＢＵＦ４の遅延時間にバラツキがあると、各グループでの映像書込の期間に差が生じ、グループごとに輝度差が生じることによりブロックムラが生じることがある。
これに対して、本実施形態によれば、第１イネーブル信号ＥＮ１を取り込むバッファＢＵＦ５と第２イネーブル信号ＥＮ２を取り込むバッファＢＵＦ６との遅延時間にバラツキが発生したとしても、この遅延時間の差は、すべてのグループに一様に発生する。したがって、グループごとに輝度差が生じることはない。
【００４３】
さらに、図９に示すように、マスク信号ＭＡＳＫ１〜ＭＡＳＫ４の切り替わりタイミングが、第１イネーブル信号ＥＮ１と第２イネーブル信号ＥＮ２とが共にローレベルの状態、すなわち、第１イネーブル信号ＥＮ１の立ち下がりから第２イネーブル信号ＥＮ２の立ち上がりまでの間になるように設定すればよい。この場合には、バッファＢＵＦ１〜ＢＵＦ４の遅延時間のバラツキによってマスク信号ＭＡＳＫ１〜ＭＡＳＫ４に遅延得時間の差が発生したとしても、マージンの範囲内であれば、各グループでの映像書込の期間に差が生じることはない。
【００４４】
次に、水平走査期間における動作について図１０を参照して説明する。図１０は、水平走査期間において、ｋ番目のブロックに対応して供給されるデータ信号Ｓｋ等の供給タイミングを示す図である。
データ信号変換回路２０は、水平走査期間の時間的に先の水平帰線期間において、映像信号Vidにかかわらず、画素１１０を最低階調、すなわち、透過率を最小とさせる電圧（ 
Black）のデータ信号Ｓｋを供給する。一方、表示制御回路１０は、水平帰線期間において、第２イネーブル信号ＥＮ２をハイレベルにするとともに、デマルチプレクサ１４０に供給するイネーブル信号Rl−Enb、Gl−Enb、Bl−Enb、R2−Enb、G2−Enb、B2−Enbをすべてハイレベルとする。 
【００４５】
これにより、水平帰線期間では、すべてのＴＦＴ１４４がオンするので、透過率を最小とさせる電圧（Black）のデータ信号が全データ線１１４に供給される。第２イネーブル信号ＥＮ２がハイレベルとなっているので、仮に１１行目に黒挿入書込が指定されていれば、走査信号Ｙ１１は、幅の短いハイレベルのパルスとなる。走査信号Ｙ１１がハイレベルになると、１１行目のＴＦＴ１１６がすべてオンするので、透過率を最小とさせる電圧が、データ線１１４およびＴＦＴ１１６を介して画素電極１１８に印加される。したがって、１１行目の画素は、それまでの階調に応じた電圧から透過率を最小とさせる電圧に書き換えられて、黒色表示となる。 
【００４６】
次に、データ信号変換回路２０は、水平走査期間の時間的に後の水平有効走査期間にお いて、映像書込に係る行であって、各ブロックにおけるデータ線との交差に対応する６個の画素１１０に、階調に応じた電圧のデータ信号を、表示制御回路１０の制御にしたがって順番に供給する。詳細には、データ信号変換回路２０は、映像書込に係る走査線がi行 
目であるとき、j番目のブロックに対応するデータ信号Ｓｊを、順番に、i行（2j−1）列目のドットにおけるＲ画素、i行（2j−1）列目のドットにおけるＧ画素、i行（2j−1）列目のドットにおけるＢ画素、i行（2j）列目のドットにおけるＲ画素、i行（2j）列目のドットにおけるＧ画素、i行（2j）列目のドットにおけるＢ画素、の階調に応じた電圧とする。ここでは、ｊ番目のブロックで代表して説明しているが、このような動作は、１〜８番目のブロックのすべてにおいて同時並行的に実行される。 
【００４７】
一方、表示制御回路１０は、水平有効期間において、第１イネーブル信号ＥＮ１をハイレベルにするとともに、データ信号変換回路２０によるデータ信号の供給に合わせて、イネーブル信号Rl−Enb、Gl−Enb、Bl−Enb、R2−Enb、G2−Enb、B2−Enbを順番に排他的にハイレベルとする。これにより、ｊ番目のブロックでは、６列のデータ線には、ＲＧＢＲＧＢの画素の階調に応じた電圧のデータ信号がそれぞれ供給される。 
第１イネーブル信号ＥＮ１がハイレベルとなっているので、仮に１行目に映像書込が指定されていれば、走査信号Ｙ１は、幅の長いハイレベルのパルスとなる。走査信号Ｙ１がハイレベルになると、１行目のＴＦＴ１１６がすべてオンするので、階調に応じた電圧が、データ線１１４およびＴＦＴ１１６を介して画素電極１１８に印加される。したがって、１行目の画素は、それまでの黒色状態から、階調に応じた透過率となって視認されることになる。 
【００４８】
このように、映像書込と黒挿入書込とは同一走査線でみれば交互に実行され、また、映像書込および黒挿入書込のいずれも、１行目から２４行目まで、順番に実行される。このため、映像書込により階調に応じた電圧が書き込まれる行に対して、黒挿入書込により黒色とさせる電圧が書き込まれる行は、一定行数離間して上から下方向に推移する。 
したがって、映像書込により階調に応じた透過率となった画素１１０は、黒挿入書込により、最小階調となるので、画素における表示がホールド型から擬似インパルス的となり、動画のぼやけ感も低減されるだけでなく、ベンド配向が維持されるので、スプレイ配向への転移による表示乱れも防止することができる。
このように本実施形態によれば、画素に、表示画像の階調に応じた電圧を書き込む映像書込と、黒色とさせる電圧を書き込む黒挿入書込とを行うためのＹドライバ１３０は、シ
フトレジスタ１３１が1つで済むので、回路面積の肥大化を抑えることが可能となる。
【００４９】
ところで、液晶容量１２０は、液晶の劣化を防止するために交流駆動が原則である。各液晶容量１２０について、フレーム期間にわたって、書込極性をどのように設定するかについては、全画素を同極性とする面（フレーム）反転方式、走査線毎に書込極性を反転させる行（ライン）反転方式、データ線毎に書込極性を反転させる列反転方式、行および列方向にわたって1画素毎に反転させる画素反転方式などがあり、いずれも、所定周期（通常フレーム期間）で書込極性を反転させる。 
ここで、書込極性とは、液晶容量１２０において、画素電極１１８の電位を対向電極１０８よりも高位とする場合を正極性といい、画素電極１１８の電位を対向電極１０８より も低位とする場合を負極性と呼ぶ。なお、書込極性の基準については、対向電極１０８の電位ではなく、いわゆるビデオ振幅中心とする場合もある。 
【００５０】
フリッカを目立たなくする、という観点からいえば、面反転を除く３方式が有利であり、このうち、画素反転方式が最も優れ、次いで行反転方式と列反転方式とがほぼ同程度で優れている、とされる。 
ここで、行反転方式を適用したとき、奇数行では正極性（＋）としたとき、偶数行で負極性（−）となり、次のフレーム期間では反転して、奇数行では負極性（−）としたとき、偶数行で正極性（＋）とする必要がある。 
このとき、同一水平走査期間において映像書込および黒挿入書込で選択される２行につ いて、書込極性を異極性にすると、データ線に供給されるデータ信号の極性が短期間のうちに反転してしまうので、データ線に寄生する容量成分が大きい場合に、データ線に正しい電圧を供給することができなくなる。このため、同一水平走査期間において映像書込及び黒挿入書込で選択される２行の書込極性は互いに同極性となるように設定される。
【００５１】
しかしながら、このように設定すると、次のような問題が生じる。すなわち、あるフレーム期間において水平走査期間毎に書込極性を１行毎に反転させたときに、次のフレーム期間では書込極性を反転させる必要があるが、このとき、フレーム期間が水平走査期間の偶数倍であると、隣接する水平走査期間同士で同極性となってしまう部分が出現してしまう。 
隣接する行同士において、黒挿入書込の書込極性が同極性であると、映像書込は異極性になることから、同じ透過率に制御すべき場合であっても、書き込み量が異なってしまうことになる。このため、隣接する２行のうち、一方において書込不足が発生して、表示において境界となって視認されるという不都合が発生する可能性がある。 
なお、ここでは行反転方式を例に挙げて説明したが、画素反転方式においても、奇数行奇数列および偶数行偶数列の画素を正極性としたときに、奇数行偶数列および偶数行奇数列の画素を負極性となるので、同様な不都合が発生する。
本実施形態においては、図５に示すように、１フレームが、２４本の走査線１１２を走査する２４個の水平走査期間に加え、３個の水平走査期間からなるブランキング期間ＴＢから構成されるので、１フレームを水平走査期間の奇数倍に設定している。よって、映像書込を良好に行うことができる。
【００５２】
なお、本実施形態においては、シフトレジスタ１３１において、シフト回路１３２を走査線１２２の本数の２倍に２を加えた数だけ用いた。そして、シフトレジスタ１３１において、入力信号の遅延量は、クロック信号ＣＬＹの半周期の倍である1周期分となるので、自段と次段との重複部分を求める必要がなくなるほか、水平走査期間がクロック信号ＣＬＹの1周期分となる。このため、フレーム期間をクロック信号ＣＬＹの奇数倍に設定することが可能である。
【００５３】
＜第２実施形態＞ 
次に、第２実施形態に係る電気光学装置について説明する。第２実施形態に係る電気光学装置は、単位回路Ｕａの替わりに単位回路Ｕｂを用いる点、シフトレジスタ１３１が、シフト信号ＳＲｉとこれを反転した反転シフト信号／ＳＲｉを用いる点を除いて、第１実施形態の電気光学装置と同様に構成されている。
【００５４】
図１１に、単位回路Ｕｂの回路図を示す。この単位回路Ｕｂは、取込回路１８０、選択回路１９０、ＴＦＴ２００及びバッファ１７０を備える。
取込回路１８０は、シフト信号ＳＲｉが有効となる期間にのみ、供給線Ｌ５から第１イネーブル信号ＥＮ１を取り込むと共に供給線Ｌ２から第２イネーブル信号ＥＮ２を取り込む。選択回路１９０は、取込回路１８０によって取り込まれた第１イネーブル信号ＥＮ１と取込回路１８０によって取り込まれた第２イネーブル信号ＥＮ２とのうち一方を、マスク信号ＭＡＳＫｊの論理レベルに応じて選択して、走査信号Ｙを生成する。
【００５５】
取込回路１８０は、トランスファーゲートＴＧ１及びＴＧ２を備える。トランスファーゲートＴＧ１の入力端子には第１イネーブル信号ＥＮ１が供給され、トランスファーゲートＴＧ２の入力端子には第２イネーブル信号ＥＮ２が供給される。トランスファーゲートＴＧ１及びＴＧ２は、シフト信号ＳＲｉがハイレベルになるとオン状態となり、シフト信号ＳＲｉがローレベルになるとオフ状態となる。したがって、シフト信号ＳＲｉがハイレベルとなり有効となる期間に限って、第１イネーブル信号ＥＮ１及び第２イネーブル信号ＥＮ２を取り込む。そして、シフト信号ＳＲｉがローレベルとなり無効となる期間は、単位回路Ｕｂが供給線Ｌ５及びＬ６から分離される。
【００５６】
選択回路１９０は、第１実施形態で説明した第１論理回路１６０と同様に構成されている。したがって、マスク信号ＭＡＳＫｉがハイレベルで有効になると第１イネーブル信号ＥＮ１が選択され、マスク信号ＭＡＳＫｉがローレベルで無効になると第２イネーブル信号ＥＮ２を選択される。しかしながら、シフト信号ＳＲｉがローレベルとなる無効な期間では、トランスファーゲートＴＧａ及びＴＧｂの入力端子がフローティング状態となり、選択回路１９０の出力端子の電位が安定しない。このため、ＴＦＴ１９０を用いて選択回路１９０の出力端子の電位を安定させている。
【００５７】
ＴＦＴ１９０は、選択回路１９０の出力端子と走査信号Ｙが無効を示す電位Ｖｓｓを供給する電位線（図示せず）の間に設けられ、シフト信号ＳＲｉが無効となる期間にオン状態となり、選択回路１９０の出力端子の電位を電位Ｖｓｓに固定する。
【００５８】
図１２に単位回路Ｕｂを用いたＹドライバのタイミングチャートを示す。この図に示すようにシフト信号ＳＲｉがハイレベルとなり有効になると、ノードＮ１には第１イネーブル信号ＥＮ１の一部が取り込まれ、ノードＮ２には第２イネーブル信号ＥＮ２の一部が取り込まれる。そして、マスク信号ＭＡＳＫｊがハイレベルであればノードＮ１の第１イネーブル信号ＥＮ１が選択され、マスク信号ＭＡＳＫｊがローレベルであればノードＮ２の第２イネーブル信号ＥＮ２が選択される。
【００５９】
単位回路Ｕｂを用いたＹドライバは、シフト信号ＳＲｉがハイレベルとなり有効となる期間に限って供給線Ｌ５及びＬ６と当該単位回路Ｕｂとを電気的に接続することができる。これにより、第１イネーブル信号ＥＮ１及び第２イネーブル信号ＥＮ２の入力容量を大幅に低減し、結果的に各グループＧＰ１〜ＧＰ４を走査している期間における時定数差をほぼ無くすることができるといった利点がある。
【００６０】
第１イネーブル信号ＥＮ１及び第２イネーブル信号ＥＮ２の供給線Ｌ５及びＬ６の等価回路を図１３に示す。図１１（Ａ）は単位回路Ｕａを用いた場合の等価回路であり、（Ｂ）は、単位回路Ｕｂを用いシフト信号ＳＲｉがハイレベルである場合の等価回路である。なお、Ｃ１〜Ｃ２４は単位回路の入力容量であり、Ｒは分布抵抗である。
【００６１】
単位回路Ｕａを用いる場合には、常時、２４個の入力容量Ｃ１〜Ｃ２４が供給線に付随しているので、バッファＢＵＦから近い場所に位置する単位回路ＵａとバッファＢＵＦから近い場所に位置する単位回路Ｕｂとでは、第１イネーブル信号ＥＮ１及び第２イネーブル信号ＥＮ２の遅延時間や波形の鈍りの程度が異なる。このため、走査線のグループＧＰ１〜ＧＰ４で映像書込の期間が相違する可能性があり、輝度ムラの原因になりかねない。さらに、供給線Ｌ５及びＬ６は容量性の負荷として作用するため、バッファＢＵＦ５及びＢＵＦ６に大きな駆動能力が求められ、消費電力も大きい。
これに対して、単位回路Ｕｂを用いる場合には、入力容量を１/２４に低減できる。このため、第１イネーブル信号ＥＮ１及び第２イネーブル信号ＥＮ２の遅延時間や波形の鈍りが問題とならず、輝度ムラが生じることもない。しかも、バッファＢＵＦ５及びＢＵＦ６の駆動能力は小さくてよく、消費電力も大幅に低減できる。
【００６２】
例えば、図７に示す選択イネーブル信号ＥＮＳ１〜ＥＮＳ４をマスク信号ＭＡＳＫ１〜ＭＡＳＫ４の替わりに供給し、図６に示す第１論理回路１５０を省略して、選択イネーブル信号ＥＮＳ１〜ＥＮＳ４を第２論理回路１６０に直接供給して、シフト信号ＳＲｉとの論理積を算出することによって走査信号Ｙを生成する場合を想定する。
ここで、第２論理回路１６０の入力容量をｃ、供給線の配線抵抗をｒとすると、供給線の等価回路は、図１４に示すものとなる。各グループＧＰ１〜ＧＰ４における入力容量の総和は「６ｃ」、選択イネーブル信号ＥＮＳ１の入力端から第２論理回路１６０までの平均配線抵抗はｒ／８、選択イネーブル信号ＥＮＳ２の入力端から第２論理回路１６０までの平均配線抵抗は３ｒ／８、選択イネーブル信号ＥＮＳ３の入力端から第２論理回路１６０までの平均配線抵抗は５ｒ／８、選択イネーブル信号ＥＮＳ４の入力端から第２論理回路１６０までの平均配線抵抗は７ｒ／８、選択イネーブル信号ＥＮＳ４の入力端から第２論理回路１６０までの平均配線抵抗は７ｒ／８となる。このため、選択イネーブル信号ＥＮＳ１に与えられる供給線の時定数は６ｃｒ／８、選択イネーブル信号ＥＮＳ２に与えられる供給線の時定数は１８ｃｒ／８、選択イネーブル信号ＥＮＳ３に与えられる供給線の時定数は３０ｃｒ／８、選択イネーブル信号ＥＮＳ４に与えられる供給線の時定数は４２ｃｒ／８となる。このように供給線の時定数が異なることで遅延時間や信号の立ち上がり期間・立ち下がり期間に差が生じる。このため、走査線のグループＧＰ１〜ＧＰ４の各々について映像の書込期間に差が生じ、結果的にグループＧＰ１〜ＧＰ４間に輝度差が生じる。
本実施形態によれば、上述したように入力容量を大幅に低減できるので、このような構成と比較しても、輝度ムラを低減できるといった効果を奏する。
【００６３】
＜応用・変形例＞ 
なお、上述した実施形態では、黒挿入書込において画素を黒色とさせるデータ信号を、映像書込における表示用のデータ信号と同じ経路で、すなわち、デマルチプレクサ１４０（ＴＦＴ１４４）を経由してデータ線１１４に供給する構成としたが、図１５に示すように各データ線１１４の他端側にＴＦＴ１５４を別途設け、黒挿入書込において画素を黒色とさせるデータ信号を、ＴＦＴ１５４を経由してデータ線１１４に供給しても良い。この場合、ＴＦＴ１５４は、例えばnチャネル型であり、そのドレイン電極はデータ線１１４の他端に接続され、ソース電極が共通接続されている。同様にＴＦＴのゲート電極も共通接続されている。
【００６４】
ＴＦＴ１５４のソース電極の共通部分には、データ信号変換回路２０から、画素を黒色とさせるデータ信号ＢＩＤが供給され、ＴＦＴ１５４のゲート電極の共通部分には、表示制御回路１０から、制御信号ＢＩＧが供給される。
ここで、制御信号ＢＩＧは、図１６に示されるように、水平帰線期間において第２イネーブル信号ＥＮ２がハイレベルとなるときに、ハイレベルとなる。 制御信号ＢＩＧがハイレベルになると、すべてのＴＦＴ１５４がオンするので、透過率を最小とさせる電圧（Black）のデータ信号が全データ線１１４に供給される。仮にi行目に黒挿入書込が指定されるのであれば、i行目の画素は、黒挿入書込によって、それまでの階調に応じた電圧から透過率を最小とさせる電圧に書き換えられるため、黒色表示となる。
また、実施形態では、実施形態では、用いる原色をＲ・Ｇ・Ｂの３色として、カラー表示としたが、４色以上としても良いし、モノクロ表示であれば、3色以上に分けなくても良い。 
画素１１０については透過型に限られず、反射型であっても良いし、両者を兼ね備えた半透過半反射型であっても良い。 
【００６５】
＜電子機器の例＞ 
次に、上述した実施形態に係る電気光学装置を適用した電子機器について説明する。
図１７は、電気光学装置１を表示部として採用したモバイル型のパーソナルコンピュータの構成を示す斜視図である。パーソナルコンピュータ２０００は、電気光学装置１と本体部２０１０とを備える。本体部２０１０には、電源スイッチ２００１およびキーボード２００２が設けられている。
【００６６】
図１８に、電気光学装置１を適用した携帯電話機の構成を示す。携帯電話機３０００は、複数の操作ボタン３００１およびスクロールボタン３００２、ならびに電気光学装置１を備える。スクロールボタン３００２を操作することによって、電気光学装置１に表示される画像をスクロール可能である。
【００６７】
図１９に、電気光学装置１を適用した携帯情報端末（ＰＤＡ：Personal Digital Assistants）の構成を示す。携帯情報端末４０００は、複数の操作ボタン４００１および電源スイッチ４００２、ならびに電気光学装置１を備える。なお、本発明に係る電気光学装置が適用される電子機器は、図１７から図１９に示したものに限られない。
【符号の説明】
【００６８】
１……電気光学装置、１３０……Ｙドライバ、Ｕａ，Ｕｂ……単位回路、１５０……第１論理回路、１６０……第２論理回路、ＳＲｉ……シフト信号、ＥＮ１……第１イネーブル信号、ＥＮ２……第２イネーブル信号、ＭＡＳＫｉ……マスク信号。
【図１】
2011033655.tif 000003
【図２】
2011033655.tif 000004
【図３】
2011033655.tif 000005
【図４】
2011033655.tif 000006
【図５】
2011033655.tif 000007
【図６】
2011033655.tif 000008
【図７】
2011033655.tif 000009
【図８】
2011033655.tif 000010
【図９】
2011033655.tif 000011
【図１０】
2011033655.tif 000012
【図１１】
2011033655.tif 000013
【図１２】
2011033655.tif 000014
【図１３】
2011033655.tif 000015
【図１４】
2011033655.tif 000016
【図１５】
2011033655.tif 000017
【図１６】
2011033655.tif 000018
【図１７】
2011033655.tif 000019
【図１８】
2011033655.tif 000020
【図１９】
2011033655.tif 000021